(57)【要約】【課題】プラズマディスプレイパネル支持用の部材及びそれを備えたプラズマディスプレイ装置を提供する。【解決手段】プラズマディスプレイパネルのエッジを取り囲むように延びた枠部と、枠部の一部を変形させて形成された湾曲部とを有し、湾曲部には、プラズマディスプレイパネルに備えられた基板のエッジの一部が挿入されるように基板挿入口が形成されているプラズマディスプレイパネル支持用のテンション部材である。これにより、ディスプレイパネルを安定的に支持すると同時に、ＰＤＰから放出される熱をさらに効率的にシャーシベースに伝達できる。また、プラズマディスプレイ装置に加えられる外部衝撃や振動をテンション部材が吸収することもできる。【選択図】図３
2006139261.tif 000002
【特許請求の範囲】
【請求項１】
プラズマディスプレイパネルのエッジを取り囲むように延びた枠部と、前記枠部の一部を変形させて形成された湾曲部とを有し、前記湾曲部には、前記プラズマディスプレイパネルに備えられた基板のエッジの一部が挿入されるように、基板挿入口が形成されていることを特徴とするプラズマディスプレイパネル支持用のテンション部材。
【請求項２】
前記基板挿入口は、前面基板挿入口及び背面基板挿入口を備え、前記前面基板挿入口及び前記背面基板挿入口は、前記枠部の幅方向の異なる位置に形成されていることを特徴とする請求項１に記載のプラズマディスプレイパネル支持用のテンション部材。
【請求項３】
前記湾曲部は、前記ディスプレイパネルの重力及び前記ディスプレイパネルに加えられる振動を緩衝させることを特徴とする請求項１に記載のプラズマディスプレイパネル支持用のテンション部材。
【請求項４】
ウィンドウが形成された前面ケース及び前記前面ケースに結合されて内部空間を形成する背面ケースと、
前記前面ケース及び背面ケースによって形成される内部空間に設置され、前面基板及び背面基板を備えるプラズマディスプレイパネルと、
プラズマディスプレイパネルのエッジを取り囲むように延びた枠部及び前記枠部の一部を変形させて形成された湾曲部を有し、前記前面基板及び背面基板のエッジの一部が挿入されるように基板挿入口が形成されているテンション部材と、
前記テンション部材が固定されるシャーシベースと、
前記シャーシベースの背面に設置される基板であって、複数の電子部品が装着された印刷回路基板と、を備えていることを特徴とするプラズマディスプレイ装置。
【請求項５】
前記テンション部材に形成された基板挿入口は、前面基板挿入口及び背面基板挿入口を備え、前記前面基板挿入口及び前記背面基板挿入口は、前記枠部の幅方向の異なる位置に形成されていることを特徴とする請求項４に記載のプラズマディスプレイ装置。
【請求項６】
前記テンション部材に形成された前記湾曲部は、前記ディスプレイパネルの重力及び前記ディスプレイパネルに加えられる振動を緩衝させることを特徴とする請求項４に記載のプラズマディスプレイ装置。
【請求項７】
前記プラズマディスプレイパネルの背面基板と前記シャーシベースとの間には、前記背面基板の全面にわたって配置された熱伝逹用のシート部材がさらに備えられていることを特徴とする請求項４に記載のプラズマディスプレイ装置。
【請求項８】
前記プラズマディスプレイパネルを支持するテンション部材は、前記シャーシベースのエッジを折曲させることによって形成された折曲部によって形成される内部空間に載置され、前記テンション部材が前記折曲部に固定されていることを特徴とする請求項４に記載のプラズマディスプレイ装置。
【請求項９】
前記テンション部材の枠部には通孔が形成されており、前記通孔に挿入されたネジが前記シャーシベースの折曲部に形成されたネジ溝に締結されることによって、前記テンション部材が前記シャーシベースに固定されることを特徴とする請求項８に記載のプラズマディスプレイ装置。
【発明の詳細な説明】
【技術分野】
【０００１】
本発明はプラズマディスプレイパネル（ＰＤＰ：Ｐｌａｓｍａ Ｄｉｓｐｌａｙ Ｐａｎｅｌ）の支持部材及びそれを備えたプラズマディスプレイ装置に係り、さらに詳細には、ＰＤＰ支持用のテンション部材及びそれを備えたプラズマディスプレイ装置に関する。
【背景技術】
【０００２】
プラズマディスプレイ装置は、ガス放電現象を利用して画像を表示する平板ディスプレイ装置であって、表示容量、輝度、コントラスト、残像及び視野角などの各種の表示能力に優れ、薄型であり、大画面表示が可能で陰極線管（ＣＲＴ：Ｃａｔｈｏｄｅ Ｒａｙ Ｔｕｂｅ）を代替できる次世代の大型平板ディスプレイ装置として注目されている。プラズマディスプレイ装置には、ガラス基板で構成されたＰＤＰ及び前記ＰＤＰを支持するためのシャーシベースが備えられている。
【０００３】
図１は、一般的なＰＤＰの支持構造を概略的に示す斜視図である。
図面を参照すれば、ＰＤＰ１１は、前面基板１２と背面基板１３とで構成されており、前記背面基板１３の背面には、熱伝逹用シート１４が付着されている。ＰＤＰ１１は、一般的に、アルミニウムのような金属材料で製作されたシャーシベース１５によって支持される。ＰＤＰ１１は、両面テープ１６を利用して、シャーシベース１５の前面に付着される。図面に示したように、両面テープ１６は、熱伝逹用シート１４に対応する部分を回避しつつ、横及び縦方向に延びている。すなわち、両面テープ１６と熱伝逹用シート１４とは、相互重畳しないように配置される。シャーシベース１５の角部分には、固定部１５ａが形成され、固定部１５ａは、シャーシベース１５をケース（図示せず）のような他の部材に連結された状態に固定させるためのものである。
【０００４】
図２は、図１に示した一般的なプラズマディスプレイ支持構造の組立て状態を示す断面図である。
【０００５】
図面を参照すれば、ＰＤＰ１１は、シャーシベース１５の前面に両面テープ１６を用いて付着されている。熱伝逹用シート１４は、ＰＤＰ１１の背面とシャーシベース１５の前面との間で密着されることによって、ＰＤＰ１１から発生する熱をシャーシベース１５に伝達する役割を果たす。
【０００６】
前述したようなＰＤＰの支持構造は、次のような問題点を有する。
【０００７】
第一に、ＰＤＰ１１とシャーシベース１５とを両面テープ１６で接着させる接着力が不十分である。両面テープ１６を利用した接着力を向上させるためには、両面テープ１６の貼付面積を拡張すればよいが、両面テープ１６と熱伝逹用シート１４とは、互いに重畳された状態で配置されることができないので、両面テープ１６の面積拡張は、熱伝逹用シート１４の面積縮小をもたらし、したがって、熱伝逹効率を低下させる結果をもたらす。
【０００８】
第二に、両面テープ１６の接着力は、ＰＤＰ１１の温度によって変化し、特に、周辺環境及び長時間の使用によって、ＰＤＰ１１の温度が上昇すれば、両面テープ１６の接着力が低下してＰＤＰ１１がシャーシベース１５から離脱する可能性もある。
【０００９】
第三に、前述したように、両面テープ１６の使用によって、熱伝導用シート１４の面積拡大が制限されることによって、熱伝導効率を向上させることがこまる。
【発明の開示】
【発明が解決しようとする課題】
【００１０】
本発明が解決しようとする課題は、ＰＤＰとシャーシベースとの支持構造が保証されるＰＤＰ支持用の部材及びそれを備えたプラズマディスプレイ装置を提供することである。
【課題を解決するための手段】
【００１１】
前記課題を達成するために、本発明によれば、ＰＤＰのエッジを取り囲むように延びた枠部と、前記枠部の一部を変形させて形成された湾曲部とを有し、前記湾曲部には、前記ＰＤＰに備えられた基板のエッジの一部が挿入されるように基板挿入口が形成されているＰＤＰ支持用のテンション部材が提供される。
【００１２】
本発明の一特徴によれば、前記基板挿入口は、前面基板挿入口及び背面基板挿入口を備え、前記前面基板挿入口及び前記背面基板挿入口は、前記枠部の幅方向の異なる位置に形成されている。
【００１３】
本発明の他の特徴によれば、前記湾曲部は、前記ディスプレイパネルの重力及び前記ディスプレイパネルに加えられる振動を緩衝させる。
【００１４】
また、本発明によれば、ウィンドウが形成された前面ケース及び前記前面ケースに結合されて内部空間を形成する背面ケースと、前記前面及び背面ケースによって形成された内部空間に設置され、前面基板及び背面基板を備えるＰＤＰと、ＰＤＰのエッジを取り囲むように延びた枠部及び前記枠部の一部を変形させて形成された湾曲部を有し、前記前面基板及び背面基板のエッジの一部が挿入されるように基板挿入口が形成されているテンション部材と、前記テンション部材が固定されるシャーシベースと、前記シャーシベースの背面に設置される基板であって、複数の電子部品が装着された印刷回路基板と、を備えるプラズマディスプレイ装置が提供される。
【００１５】
本発明の他の特徴によれば、前記ＰＤＰの背面基板と前記シャーシベースとの間には、前記背面基板の全体面積にわたって展開された熱伝逹用シート部材がさらに備えられている。
【００１６】
本発明の他の特徴によれば、前記ＰＤＰを支持するテンション部材は、前記シャーシベースのエッジを折曲させることによって形成された折曲部によって形成される内部空間に載置され、前記テンション部材が前記折曲部に固定される。
【００１７】
本発明の他の特徴によれば、前記テンション部材の枠部には通孔が形成されており、前記通孔に挿入されたネジが前記シャーシベースの折曲部に形成されたネジ溝に締結されることによって、前記テンション部材が前記シャーシベースに固定される。
【発明の効果】
【００１８】
本発明によるＰＤＰ支持用のテンション部材及びそれを備えたプラズマディスプレイ装置は、ディスプレイパネルを安定的に支持すると同時に、ＰＤＰから放出される熱をさらに効率的にシャーシベースに伝達できる。また、プラズマディスプレイ装置に加えられる外部衝撃や振動をテンション部材が吸収することもできる。
【発明を実施するための最良の形態】
【００１９】
以下、添付された図面を参照して、本発明をさらに詳細に説明する。
【００２０】
図３は、本発明によるＰＤＰ支持構造を概略的に示す斜視図である。
図面を参照すれば、前面基板３２と背面基板３３とからなるＰＤＰ３１は、本発明によるＰＤＰ支持用のテンション部材４０によって支持されている。前記テンション部材４０は、ＰＤＰ３１と共にシャーシベース３５に形成された内部空間３５ｃに載置されている。
【００２１】
テンション部材４０は、図面に示したように、ＰＤＰ３１のエッジに沿って延びる枠部４１を備え、前記枠部４１には、湾曲部４２が形成されている。枠部４１は、前面基板３２と背面基板３３のエッジを取り囲むように広がって形成されている。湾曲部４２は、枠部４１をテンション部材４０の内側に凸状に湾曲させて形成したものであって、湾曲部４２には、背面基板挿入口４３及び前面基板挿入口４５が形成されている。湾曲部４２に形成された基板挿入口４３，４５は、基板３２，３３のエッジの一部がその内部に挿入されるようになっている。したがって、ＰＤＰ３１の４辺のエッジで基板３２，３３がテンション部材４０の湾曲部４２に形成された基板挿入口４３，４５に挿入されるので、ＰＤＰ３１は、テンション部材４０に離脱されずに支持される。また、テンション部材４０は、それ自体が弾性を有する材料で形成されているため、ＰＤＰ３１の重量や振動が湾曲部４２の変形によって維持及び緩衝される。
【００２２】
また、テンション部材４０の枠部４１には、平坦な部分に通孔４６が形成されている。通孔４６に挿入されるネジ４７は、シャーシベース３５に形成されたネジ溝３５ｄに締結され、ネジ４７の締結によって、テンション部材４０がシャーシベース３５に固定される。これとは違って、溶接や両面テープによってテンション部材４０がシャーシベース３５に固定されることもできる。
【００２３】
ＰＤＰ３１は、テンション部材４０を通じてシャーシベース３５に対して支持された状態で支持される。前述したように、ＰＤＰ３１に備えられた前面ガラス基板３２の両側部は、テンション部材４０に形成された前面基板挿入口４５に挿入され、背面ガラス基板３３は、テンション部材４０に形成された背面基板挿入口４３に挿入される。また、テンション部材４０がネジ４７によってシャーシベース３５の折曲部３５ｂに形成されたネジ溝３５ｄに締結されるので、ＰＤＰ３１、テンション部材４０及びシャーシベース３５の相互組立て状態が維持される。シャーシベース３５の４つの角には、固定部３５ａが形成されており、前記固定部３５ａは、ケース（図示せず）にシャーシベース３５を固定させるためのものである。また、シャーシベース３５の背面には、印刷回路基板（図示せず）の支持のための支持部３６が備えられている。シャーシベース３５の内部空間３５ｃは、シャーシベース３５のエッジに形成された折曲部３５ｂによって形成された空間であって、内部空間３５ｃにテンション部材４０とＰＤＰ３１とが載置されている。
【００２４】
図４は、図３の一部を抜粋して示す概略的な部分斜視図である。
【００２５】
図面を参照すれば、テンション部材４０の枠部４１の幅は、Ｗ１で表示されており、ＰＤＰ３１の厚さは、Ｗ２で表示されている。湾曲部４２の背面ガラス基板挿入口４３は、その幅がｔ１で表示されており、ＰＤＰ３１の背面ガラス基板３３の厚さは、ｔ２で表示されている。
【００２６】
背面ガラス基板挿入口４３の幅ｔ１は、背面ガラス基板３３の厚さｔ２より大きいか、または実質的に同じであり、したがって、背面ガラス基板３３の挿入が可能である。また、枠部４１の幅Ｗ１も、ＰＤＰ３１の厚さＷ２よりは大きい。一方、背面ガラス基板挿入口４３は、枠部４１の幅Ｗ１方向に、後方に向かって偏位されて形成されている一方、図４に示していない前面ガラス基板挿入口４５（図３）は、前方に向かって偏位されて形成される。このようなガラス基板挿入口の形成位置の偏位は、ガラス基板３２，３３の位置に対応するためである。
【００２７】
図５は、図４に示したＰＤＰの支持構造を概略的に示す断面図である。
【００２８】
図面を参照すれば、テンション部材４０は、ＰＤＰ３１を支持しつつ、シャーシベース３５に対して固定される。ＰＤＰ３１とシャーシベース３５との間には、熱伝逹用シート３４が配置されるが、図３を参照して示したように、熱伝逹用シート３４は、背面基板３３の全面にわたって配置される。
【００２９】
図６は、図３ないし図５を参照して説明したようなＰＤＰの支持構造を有するプラズマディスプレイ装置を概略的に示す斜視図である。
【００３０】
図面を参照すれば、本発明によるプラズマディスプレイ装置は、ウィンドウが形成された前面ケース６１と、前記前面ケース６１に結合されて内部空間を形成する背面ケース６５と、前記内部空間に設置されるフィルタホルダー６３と、前記フィルタホルダー６３によって支持され、前面ケース６１のウィンドウを通じて露出されるフィルタ６２と、前記フィルタ６２の背面に位置するＰＤＰ３１と、前記ＰＤＰ３１を支持するテンション部材４０と、前記テンション部材４０が固定されるシャーシベース３５と、を備える。シャーシベース３５の背面には、印刷回路基板６７が印刷回路基板支持部３６によって設置され、印刷回路基板６７上には、電子部品６８が装着されている。シャーシベース３５の固定部３５ａは、前面ケース６１または背面ケース６５に対して固定される。６６及び６９で表示されたものは、信号伝達用ケーブルであって、前面ガラス基板３２と背面ガラス基板３３とにそれぞれ形成された電極と印刷回路基板６７上の電子部品６８とを電気的に連結する。
【００３１】
本発明は、図面に示した実施形態を参考として説明されたが、これは、例示的なものに過ぎず、当業者ならば、これから多様な変形及び均等な他の実施例が可能であることが分かる。したがって、本発明の真の保護範囲は、特許請求の範囲の技術的思想によって決定されねばならない。
【産業上の利用可能性】
【００３２】
本発明は、ＰＤＰに関連した技術分野に適用可能である。
【図面の簡単な説明】
【００３３】
【図１】通常的なＰＤＰの支持構造を概略的に示す斜視図である。
【図２】図１に示したＰＤＰの支持構造の組立て状態を示す断面図である。
【図３】本発明の一実施形態によるＰＤＰの支持構造を概略的に示す斜視図である。
【図４】図３の一部を抜粋して示す概略的な部分斜視図である。
【図５】図４に示したＰＤＰの支持構造を概略的に示す断面図である。
【図６】本発明によるＰＤＰの支持部材を備えたプラズマディスプレイ装置を概略的に示す斜視図である。
【符号の説明】
【００３４】
３１  ＰＤＰ
３２  前面基板
３３  背面基板
３４  熱伝達用シート
３５  シャーシベース
３５ａ  固定部
３５ｂ  折曲部
３５ｃ  内部空間
３５ｄ  ネジ溝
３６  支持部
４０  テンション部材
４１  枠部
４２  湾曲部
４３  背面基板挿入口
４５  前面基板挿入口
４６  通孔
４７  ネジ
【図１】
2006139261.tif 000003
【図２】
2006139261.tif 000004
【図３】
2006139261.tif 000005
【図４】
2006139261.tif 000006
【図５】
2006139261.tif 000007
【図６】
2006139261.tif 000008